(57)【要約】      （修正有）【課題】冷却塔の循環水または補給水の水質管理を簡易かつ適切に実施する、冷却塔水の水質管理装置及びその水質管理方法を提供する。【解決手段】本発明は、上記課題を解決するため、二基以上の複数の冷却塔１ａ，１ｂ、補給水ライン７ａ，７ｂ、冷却塔の下部水槽と上部水槽を循環する循環水を通水する循環水ライン６を備える冷却塔設備２０ａにおいて、何れかの箇所で循環水または補給水を試料水として採取し、試料水の水質を測定する冷却塔水の水質管理装置２１ａであって、複数の冷却塔の何れかの箇所に接続し、試料水を通水する、複数の冷却塔の各々毎に設けられた、試料水を採取する複数の採取ライン８ａ，８ｂと、採取ラインの各々に設けられた複数の電磁弁３ａ，３ｂと、採取ラインに接続し、試料水が導入される集合配管９と、集合配管から送られてきた試料水の水質を測定する水質測定部４と、電磁弁の開閉を制御する制御部５と、を備える。【選択図】図１
2020189260.tif 000002
【特許請求の範囲】
【請求項１】
二基以上の複数の冷却塔、前記複数の冷却塔の各々に補給水を補充する複数の補給水ライン、前記複数の冷却塔の下部水槽と上部水槽を循環する循環水を通水する循環水ラインを備える冷却塔設備において、
前記補給水ライン或いは前記循環水ラインの少なくとも何れかの箇所で循環水または補給水を試料水として採取し、前記試料水の水質を測定する冷却塔水の水質管理装置であって、
前記複数の冷却塔の各々の前記循環水ラインまたは補給水ラインの少なくとも何れかの箇所に接続し、前記試料水を通水する、前記複数の冷却塔の各々毎に設けられた、前記試料水を採取する複数の採取ラインと、
前記複数の採取ラインの各々に設けられた複数の電磁弁と、
前記複数の採取ラインに接続し、前記試料水が導入される集合配管と、
前記集合配管から送られてきた前記試料水の水質を測定する水質測定部と、
前記複数の冷却塔の内の測定対象の冷却塔に関する前記採取ラインの前記電磁弁を開き、前記複数の冷却塔の内の前記測定対象以外の冷却塔における他の電磁弁を閉じるように制御する制御部と、
を備えることを特徴とする冷却塔水の水質管理装置。
【請求項２】
前記制御部は、前記測定対象の冷却塔の前記補給水ラインへの前記補給水の通水が検知されると、前記測定対象の冷却塔の前記補給水ラインに接続する前記採取ラインの前記電磁弁を開くように制御することを特徴とする請求項１に記載の冷却塔水の水質管理装置。
【請求項３】
前記制御部は、前記試料水の採取箇所から前記水質測定部までの前記採取ラインの容積分及び前記集合配管の容積分の新たに測定対象となる前記試料水が前記水質測定部を通過するに必要な時間以上の時間を通水した後に、前記水質測定部による前記試料水の測定を行うように制御することを特徴とする請求項１または請求項２に記載の冷却塔水の水質管理装置。
【請求項４】
前記水質測定部は、前記集合配管から送られたきた前記試料水の電気伝導率を測定することを特徴とする請求項１ないし請求項３のいずれか１項に記載の冷却塔水の水質管理装置。
【請求項５】
前記制御部は、前記補給水の電気伝導率及び前記循環水に添加される薬品に起因する電気伝導率と、前記水質測定部で測定された前記循環水の前記電気伝導率とを用いて、前記測定対象の冷却塔における前記循環水の濃縮倍数を算出することを特徴とする請求項４に記載の冷却塔水の水質管理装置。
【請求項６】
請求項１ないし請求項５のいずれか１項に記載の冷却塔水の水質管理装置を用いた水質管理方法であって、
前記複数の冷却塔の内の前記測定対象の冷却塔に関する前記採取ラインに設けられた電磁弁を開き、前記複数の冷却塔の内の前記測定対象以外の冷却塔における他の電磁弁を閉じて、前記測定対象の冷却塔に関する循環水または補給水の一部を、前記採取ライン及び前記集合配管を介して前記水質測定部に供給し、前記水質測定部により水質を測定することを特徴とする冷却塔水の水質管理方法。
【発明の詳細な説明】
【技術分野】
【０００１】
本発明は、冷却塔の循環水または補給水の水質管理を簡易かつ適切に実施する、冷却塔水の水質管理装置及びその水質管理方法に関する。
【背景技術】
【０００２】
冷却塔の循環水には種々の水処理薬剤が添加され、冷却塔水系の腐食防止、スケールやスライム付着防止等が図られている。そのためには循環水および循環水へ供給する補給水の水質を定期的に測定して、目標範囲に収まっているか否かを確認し、循環水のブロー排水や循環水への補給水の供給、水処理薬剤の添加量を制御する必要がある。
【０００３】
冷却塔水の水質管理では、管理者が循環水および補給水を採取した試料水の水質を測定し、その測定値が目標範囲内にあるか否かを確認するという方法が多くとられていた。しかし、同一敷地内に複数の冷却塔があり、冷却塔の運転台数を制御することによって冷却能力を調整している場合では冷却塔の運転と停止が繰り返される。そのため、採取した試料水の測定を実施しようとした時に、測定数が多くなるのに加えて、測定対象の冷却塔が停止している場合には運転時と冷却塔水質が大きく異なる。そのため、停止中に採取した水質で判断を行うと正しい判断ができず、異常に気付くのが遅れることがあった。
【０００４】
冷却塔の循環水の一部を採取し、採取した試料水に浸漬した１対の金属電極間のカップリング電流及び電気化学的電流ノイズを測定し、データに基づいて循環水の水質を判定し、ブロー排出装置による循環水の排出量及び／又は水処理薬剤注入装置による薬剤注入量を制御する方法が提案されている（特許文献１参照）。
【０００５】
また、冷却塔等の水処理設備から採取した水について複数の水質パラメータを測定し、複数の水質パラメータの変化と、水処理設備における水処理状況と、水処理設備に施す対策とを組み合わせた対策データを記憶する水質管理装置が、対策データを参照し、測定された水質パラメータに対応する水処理状況及び対策を選択し、表示部が、前記選択された水処理状況及び対策を表示する水質管理方法が提案されている（特許文献２参照）。
【先行技術文献】
【特許文献】
【０００６】
【特許文献１】特開平１０−１４２２１９号公報
【特許文献２】特開２０１５−２０５２３７号公報
【発明の概要】
【発明が解決しようとする課題】
【０００７】
同一敷地内や近接した敷地に複数の冷却塔があり、各冷却塔に水質センサを１個ずつ設置する場合にはコスト増となり、特に高精度のセンサや高価なセンサが必要な場合には更にコストが増加する。その他、各々のセンサの測定結果をまとめてから制御する必要が有ったり、センサの設置場所によっては循環水が滞留して正確な水質が得られなかったりする場合があった。
【０００８】
そこで、本発明は、上記従来の実情に鑑みてなされたものであり、冷却塔の循環水または補給水の水質管理を簡易かつ適切に実施するものである。すなわち、冷却塔の循環水や補給水の水質が精度良く測定でき、コストを抑え、センサのメンテナンスも容易に行うことができる冷却塔水の水質管理装置及び水質管理方法を提供することを課題とする。
【課題を解決するための手段】
【０００９】
すなわち、本発明は、
（１）
二基以上の複数の冷却塔、前記複数の冷却塔の各々に補給水を補充する複数の補給水ライン、前記複数の冷却塔の下部水槽と上部水槽を循環する循環水を通水する循環水ラインを備える冷却塔設備において、
前記補給水ライン或いは前記循環水ラインの少なくとも何れかの箇所で循環水または補給水を試料水として採取し、前記試料水の水質を測定する冷却塔水の水質管理装置であって、
前記複数の冷却塔の各々の前記循環水ラインまたは補給水ラインの少なくとも何れかの箇所に接続し、前記試料水を通水する、前記複数の冷却塔の各々毎に設けられた、前記試料水を採取する複数の採取ラインと、
前記複数の採取ラインの各々に設けられた複数の電磁弁と、
前記複数の採取ラインに接続し、前記試料水が導入される集合配管と、
前記集合配管から送られてきた前記試料水の水質を測定する水質測定部と、
前記複数の冷却塔の内の測定対象の冷却塔に関する前記採取ラインの前記電磁弁を開き、前記複数の冷却塔の内の前記測定対象以外の冷却塔における他の電磁弁を閉じるように制御する制御部と、
を備えることを特徴とする冷却塔水の水質管理装置。
（２）
前記制御部は、前記測定対象の冷却塔の前記補給水ラインへの前記補給水の通水が検知されると、前記測定対象の冷却塔の前記補給水ラインに接続する前記採取ラインの前記電磁弁を開くように制御することを特徴とする（１）に記載の冷却塔水の水質管理装置。
（３）
前記制御部は、前記試料水の採取箇所から前記水質測定部までの前記採取ラインの容積分及び前記集合配管の容積分の新たに測定対象となる前記試料水が前記水質測定部を通過するに必要な時間以上の時間を通水した後に、前記水質測定部による前記試料水の測定を行うように制御することを特徴とする（１）または（２）に記載の冷却塔水の水質管理装置。
（４）
前記水質測定部は、前記集合配管から送られたきた前記試料水の電気伝導率を測定することを特徴とする（１）ないし（３）のいずれか一つに記載の冷却塔水の水質管理装置。
（５）
前記制御部は、前記補給水の電気伝導率及び前記循環水に添加される薬品に起因する電気伝導率と、前記水質測定部で測定された前記循環水の前記電気伝導率とを用いて、前記測定対象の冷却塔における前記循環水の濃縮倍数を算出することを特徴とする（４）に記載の冷却塔水の水質管理装置。
（６）
（１）ないし（５）のいずれか一つに記載の冷却塔水の水質管理装置を用いた水質管理方法であって、
前記複数の冷却塔の内の前記測定対象の冷却塔に関する前記採取ラインに設けられた電磁弁を開き、前記複数の冷却塔の内の前記測定対象以外の冷却塔における他の電磁弁を閉じて、前記測定対象の冷却塔に関する循環水または補給水の一部を、前記採取ライン及び前記集合配管を介して前記水質測定部に供給し、前記水質測定部により水質を測定することを特徴とする冷却塔水の水質管理方法。
とした。
【発明の効果】
【００１０】
本発明によれば、複数の冷却塔の循環水または補給水から試料水を採取するに際し、各々に設けられた採取ラインへの試料水の通水を切り換えることにより、測定対象の冷却塔水に関する循環水または補給水から採取された試料水のみが採取ラインを通って単独の集合配管に導入される。
集合配管は、測定パラメータ毎に対応するセンサを１個有する単独の水質測定部と接続されているため、複数の冷却塔の循環水または補給水の水質測定に対し１つの水質測定部を設ければよく、設置コストが抑えられる。さらに、水質測定部が冷却塔に直接取り付けられておらず、独立して設置されているために冷却塔が稼働中でもセンサ等のメンテナンスも容易となる。
【００１１】
特に、水質測定部での測定実施前に測定対象の試料水を一定時間以上通水することにより採取ライン、集合配管、および水質測定部内が洗浄されるので精度良く水質測定できる。
【図面の簡単な説明】
【００１２】
【図１】本発明の実施形態に係る冷却塔水の水質管理装置の一例を示す概略構成図である。循環水ラインに採取ラインを接続し、循環水を試料水として採取する例である。
【図２】同実施形態に係る冷却塔水の水質管理装置の水質測定部の概略構成図である。
【図３】本発明の図１より他の実施形態に係る冷却塔水の水質管理装置の一例を示す概略構成図である。冷却塔毎に設けた、循環水ライン及び補給水ラインに採取ラインを接続し、循環水または補給水を試料水として採取する例である。
【発明を実施するための形態】
【００１３】
以下、本発明の実施の形態を図面に基づいて説明する。なお、本発明は、以下の実施例に限定されるものではない。
【００１４】
図１は、本発明の実施形態に係る冷却塔水の水質管理装置２１aの一例を示す概略構成図である。具体的には、循環水ライン６に採取ライン８ａ、８ｂを接続し、循環水を試料水として採取する例である。
【００１５】
図１の冷却塔設備２０ａには、補給水ライン７ａ、補給水ライン７ｂを接続した２台の冷却塔１ａ、冷却塔１ｂが設けられており、冷却塔１ａ、１ｂの循環水がそれぞれ採取ライン８ａ、採取ライン８ｂを介して採取される冷却塔水の水質管理装置２１ａを示す。各冷却塔１ａ、１ｂから採取ライン８ａ、８ｂを介して採取された試料水は、集合配管９に流入する。
【００１６】
各採取ライン８ａ、８ｂの循環水を採取する一端側には、電磁弁３ａ、３ｂが設けられており、他端側には１本の集合配管９が接続されている。電磁弁３ａ、３ｂの何れか一方を開くことにより測定される試料水の採取が開始され、開いた電磁弁３ａまたは電磁弁３ｂを閉じると採取が終了する。図１中の破線は、制御信号を意味する。
【００１７】
集合配管９の一端には複数の採取ライン８ａ、８ｂが接続され、他端側には水質測定部４が設けられている。各採取ライン８ａ、８ｂから導入され、集合配管９を通水した試料水は、水質測定部４を通過し、排水ライン１１を介して排水される。
【００１８】
水質測定部４では、センサ１４により循環水や補給水の少なくとも１種の水質パラメータが分析される。水質パラメータとしては、例えば、電気伝導率、ｐＨ、塩化物イオン濃度や硫酸イオン濃度等のイオン濃度、酸消費量、マグネシウム硬度、カルシウム硬度、シリカ濃度、鉄濃度、銅濃度、アンモニウムイオン濃度、残留塩素濃度、全りん酸濃度、亜鉛濃度、ポリマー濃度等の各種成分濃度、酸化還元電位、ＴＯＣ、ＣＯＤ、及び濁度等が挙げられる。これらの中では電気伝導率のセンサが多く採用されている。
【００１９】
図２に水質測定部の好ましい実施形態が例示されている。水質測定部４には、集合配管９を通水する試料水の流量を一定にする定流量弁１３が集合配管９に備えられ、センサ１４、排水ライン１１、及び手動排水用弁１２が設けられている。
定流量弁１３により一定流量となった試料水は、集合配管９に介在するセンサ１４を通過して、集合配管９に連通する排水ライン１１から排水される。センサ１４及び排水ライン１１に連通する配管に設置された手動排水用弁１２によりセンサ１４の清掃時等に水を抜くことができる。
【００２０】
センサ１４では、試料水の各種水質パラメータが測定され、測定値は制御部５に入力される。制御部５は、センサ１４の測定値を用いて各種データ処理を行い、各冷却塔１ａ、１ｂの循環水の水質状況を判断し、冷却塔１ａ、１ｂの水質異常を検知した場合は警報を発したり、管理用のディスプレイに異常を出力したりすることもできる。
【００２１】
制御部５は、水質測定対象の冷却塔の循環水のみが水質測定部４を通過するように、水質測定対象の冷却塔の循環水に対応する採取ラインの電磁弁を開き、他の冷却塔に対応する電磁弁は開かないように制御する。
【００２２】
例えば、水質測定対象が冷却塔１ａの場合、制御部５は、電磁弁３ａを開き、電磁弁３ｂは開かないように制御する。これにより、採取ライン８ａから採取された冷却塔１ａの循環水が水質測定部４に通水され、採取ライン８ｂを流れる冷却塔１ｂの循環水が水質測定部４に混入することを防止できる。
【００２３】
本発明で、好ましくは、制御部５により水質測定対象の冷却塔に対応する循環水の電磁弁を開いて循環水の採取を開始し、測定対象の冷却塔に対応する循環水の電磁弁が開いてから、試料水の採取点からセンサ１４までの採取ライン８ａ、或いは採取ライン８ｂ及び集合配管９の容積分の試料水が水質測定部４を通過するに必要な時間以上の時間である待ち時間が経過した後に、試料水の水質パラメータの測定を開始する。
【００２４】
このように試料水の採取から測定開始までに待ち時間を置くことで直前に測定した試料水を採取ライン８ａ、或いは採取ライン８ｂ、集合配管９、および水質測定部４から十分に追い出すことになり、精度よく次の測定対象の冷却塔の循環水の測定を行うことができる。
【００２５】
各センサによる測定時間および測定間隔は任意に決められ、特に各センサの種類、冷却塔の台数や各冷却塔の負荷、稼働時間により決定される。
【００２６】
制御部５は、例えば冷却塔１ａ、１ｂ毎に、センサ１４による測定値の平均値を算出し、水質パラメータ毎に設定された目標範囲に入っているか否かの評価を行う。制御部５は測定値の目標範囲外が１回または所定回数検知された場合に警報発信または管理用ディスプレイに表示して管理者に知らせるように設定することも可能である。
【００２７】
制御部５では、水質パラメータとして電気伝導率を測定する場合、冷却塔の補給水の電気伝導率、循環水に薬品を添加する場合の薬品に起因する電気伝導率、及び水質測定部で測定した稼動中の循環水の電気伝導率とを用いて、測定対象の冷却塔における循環水の濃縮倍数を算出する機能を持たせることができる。濃縮倍率は、稼働中の循環水の電気伝導率を添加薬品による電気伝導率上昇分と補給水の電気伝導率との加算値で除した値として算出できる。
【００２８】
また、複数の冷却塔へ供給する補給水の水源が異なる際に各補給水の水質を評価する場合も上記の循環水の水質評価の場合と同様であり、図３に冷却塔水の水質管理装置２１ｂを備える冷却塔設備２０ｂの例を示した。
図３の冷却塔設備２０ｂには、循環水ライン６と、補給水ライン７ｃに接続した採取ライン８ｃ、補給水ライン７ｄに接続した採取ライン８ｄを備える。
【００２９】
各冷却塔１ｃ、１ｄへの補給水ライン７ｃ、７ｄに接続した採取ライン８ｃ、８ｄに電磁弁３ｃ、３ｄを設置し、この電磁弁３ｃ、３ｄの開閉制御により測定対象の冷却塔の補給水から採取した試料水のみが採取ライン８ｃ、８ｄ、集合配管９を通って水質測定部４に通水される。
【００３０】
したがって、測定対象外の冷却塔の補給水が水質測定部４に混入しないようになっているため、各冷却塔の補給水ラインに接続した採取ラインの電磁弁の開閉により各冷却塔の補給水の水質を精度良く測定できる。
【００３１】
本発明では、直前に測定した試料水が、次に測定される試料水の測定結果に影響しないよう、測定する試料水の採取地点から集合配管までの採取ラインの容積分と集合配管容積分が水質測定部を通過するに必要な通過時間以上の待ち時間を通水した後で測定を開始することが好ましい。
【００３２】
特に循環水と補給水を交互に測定する場合、例えば前の測定が循環水で次の測定が補給水の場合には補給水の試料水の採取地点からセンサまでの採取ラインの容積分と集合配管容積分が水質測定部を通過するに必要な通過時間を求めておく。次いで、前の循環水の試料水測定が終了した後、次に測定する補給水の試料水の採取ラインへの通水を始めてから水質測定部での測定を開始するまでの通水時間を通過時間以上の待ち時間とすることで測定する補給水の試料水により採取ライン、集合配管、水質測定部内の洗浄を行うことができるので好ましい。
【００３３】
本発明の水質管理装置には、各冷却塔の水処理状況の判断及び水処理設備や冷却塔へ施すべき対策の選定を行う外部サーバにセンサの分析結果や制御部の分析データ処理結果を有線または無線ネットワークにより送信する通信装置を設けてもよい。
【００３４】
本発明により、複数の冷却塔の各循環水および補給水の少なくとも何れかの水質パラメータを測定するセンサはパラメータ毎に１つを備えればよいため、コストが低減され、測定やメンテナンスに要する作業も減らすことができる。
【符号の説明】
【００３５】
１ａ    冷却塔
１ｂ    冷却塔
１ｃ    冷却塔
１ｄ    冷却塔
２      冷凍機
３ａ    電磁弁
３ｂ    電磁弁
４      水質測定部
５      制御部
６      循環水ライン
７ａ    補給水ライン
７ｂ    補給水ライン
７ｃ    補給水ライン
７ｄ    補給水ライン
８ａ    採取ライン
８ｂ    採取ライン
８ｃ    採取ライン
８ｄ    採取ライン
９      集合配管
１０    ポンプ
１１    排水ライン
１２    手動排水用弁
１３    定流量弁
１４    センサ
２０ａ  冷却塔設備
２０ｂ  冷却塔設備
２１ａ  冷却塔水の水質管理装置
２１ｂ  冷却塔水の水質管理装置
【図１】
2020189260.tif 000003
【図２】
2020189260.tif 000004
【図３】
2020189260.tif 000005